(57)【要約】【課題】クロストークを抑制し、高品質な表示が可能な電気光学装置、電気光学装置の駆動方法、電気光学装置の駆動回路および電子機器を提供すること。【解決手段】走査電極駆動回路５２は出力制御回路６１と単位回路６２１〜６２ｍを備える。各単位回路は、ゲートの印加電圧に応じてオン状態となり、走査電圧波形を構成する４つの電圧を択一的に出力するトランジスタ６３ａ〜６３ｄを備える。各トランジスタに電圧Ｖ０，Ｖ１，Ｖ４，Ｖ５がドレイン・ソース間電圧として印加される。出力制御回路６１は、制御信号群５８により４つのトランジスタを択一的にオン状態にする。出力制御回路６１は、正の選択電圧Ｖ０を走査電極に出力する場合、トランジスタ６３ａのゲートに負の選択電圧Ｖ５より低い駆動電圧ＶＤＤＹを印加し、負の選択電圧Ｖ５を走査電極に出力する場合、トランジスタ６３ｄのゲートに正の選択電圧Ｖ０より高い駆動電圧ＶＤＤＹを印加する。【選択図】      図２
2004233521.tif 000002
【特許請求の範囲】
【請求項１】
電気光学素子を挟持する一対の基板の一方に形成された複数の走査電極と、前記一対の基板の他方に前記複数の走査電極と交差するように形成された複数の信号電極と、前記複数の走査電極を駆動する走査電圧信号を出力する走査電極駆動回路と、前記複数の信号電極を駆動するデータ電圧信号を出力する信号電極駆動回路とを備え、前記複数の走査電極を順に選択する各選択期間に、前記走査電圧信号の選択電圧と前記データ電圧信号のデータ電圧との差分の電圧により、前記走査電極と前記信号電極の交差部の各画素電極に信号を書き込むように構成された電気光学装置であって、
前記走査電極駆動回路は、前記複数の走査電極にそれぞれ対応する複数の単位回路を備え、
前記複数の単位回路のそれぞれは、前記走査電圧信号を構成する複数の電圧を択一的に出力する複数のトランジスタを備え、
前記複数のトランジスタのそれぞれは、印加される電圧に応じてトランジスタの導通状態を制御する制御用端子を備え、
前記各選択期間において、前記複数のトランジスタのうち前記選択電圧を出力するトランジスタの制御用端子に、前記複数の電圧のいずれよりも高い電圧又はいずれよりも低い電圧を印加するようにしたことを特徴とする電気光学装置。
【請求項２】
請求項１に記載の電気光学装置において、
前記走査電極駆動回路は、前記複数の走査電極の各々を所定期間毎に選択する際に、前記選択電圧として正の選択電圧と負の選択電圧とを前記所定期間毎に交互に出力するように構成されており、
前記正の選択電圧が出力される前記選択期間には、前記複数のトランジスタのうち前記正の選択電圧を出力する一つのトランジスタの制御用端子に前記負の選択電圧より低い駆動電圧を印加するとともに、前記負の選択電圧が出力される前記選択期間には、前記複数のトランジスタのうち前記負の選択電圧を出力する一つのトランジスタの制御用端子に前記正の選択電圧より高い駆動電圧を印加することを特徴とする電気光学装置。
【請求項３】
請求項１又は２に記載の電気光学装置において、前記電気光学素子は液晶層であることを特徴とする電気光学装置。
【請求項４】
請求項３に記載の電気光学装置において、
前記各画素電極と前記走査電極との間、又は前記各画素電極と前記各信号電極との間には、非線形抵抗素子が接続されており、前記各選択期間に、前記差分の電圧が前記非線形抵抗素子を介して前記各画素電極に印加されるように構成されていることを特徴とする電気光学装置。
【請求項５】
電気光学素子を挟持する一対の基板の一方に形成された複数の走査電極と、前記一対の基板の他方に前記複数の走査電極と交差するように形成された複数の信号電極と、前記複数の走査電極を駆動する走査電圧信号を出力する走査電極駆動回路と、前記複数の信号電極を駆動するデータ電圧信号を出力する信号電極駆動回路とを備え、前記複数の走査電極を順に選択する各選択期間に、前記走査電圧信号の選択電圧と前記データ電圧信号のデータ電圧との差分の電圧により、前記走査電極と前記信号電極の交差部の各画素電極に信号を書き込むように構成された電気光学装置の駆動方法であって、
前記各選択期間において、前記走査電圧信号を構成する複数の電圧のいずれよりも高い電圧又はいずれよりも低い電圧を前記走査電極駆動回路に出力することを特徴とする電気光学装置の駆動方法。
【請求項６】
電気光学素子を挟持する一対の基板の一方に形成された複数の走査電極と、前記一対の基板の他方に前記複数の走査電極と交差するように形成された複数の信号電極と、前記複数の走査電極を駆動する走査電圧信号を出力する走査電極駆動回路と、前記複数の信号電極を駆動するデータ電圧信号を出力する信号電極駆動回路とを備え、前記複数の走査電極を順に選択する各選択期間に、前記走査電圧信号の選択電圧と前記データ電圧信号のデータ電圧との差分の電圧により、前記走査電極と前記信号電極の交差部の各画素電極に信号を書き込むように構成された電気光学装置の駆動回路であって、
前記走査電圧信号を構成する複数の電圧を前記走査電極駆動回路に出力するとともに、前記データ電圧信号を構成する複数の電圧を前記信号電極駆動回路に出力する電源回路を有し、
前記電源回路は、前記各選択期間において、前記走査電圧信号を構成する複数の電圧のいずれよりも高い電圧又はいずれよりも低い電圧を前記走査電極駆動回路に出力することを特徴とする電気光学装置の駆動回路。
【請求項７】
請求項１乃至４のいずれかに記載の電気光学装置を備えることを特徴とする電子機器。
【発明の詳細な説明】
【０００１】
【発明の属する技術分野】
本発明は、液晶表示装置等の電気光学装置、電気光学装置の駆動方法、電気光学装置の駆動回路および電子機器に関する。
【０００２】
【従来の技術】
近年、液晶表示装置は、低消費電力で軽量なディスプレイデバイスとして、例えばテレビ、電子手帳、パーソナルコンピュータ、携帯電話等の電子機器に広く利用されている。そして、ＭＩＭ素子、バック・ツウー・バック・ダイオード素子、ダイオード・リング素子、バリスタ素子等の非線形抵抗素子をスイッチ素子として用いたいわゆる２端子型アクティブ・マトリクス液晶表示装置が知られている（例えば、特許文献１参照）。
【０００３】
このような液晶表示装置では、例えば図９に示すように、液晶層を挟持する一対の基板の一方に複数の走査電極Ｙ１〜Ｙｍが形成され、他方の基板に複数の信号電極Ｘ１〜Ｘｎが走査電極Ｙ１〜Ｙｍと交差するように形成されている。その液晶表示装置は、複数の走査電極Ｙ１〜Ｙｍに図５（ａ）に示す走査電圧波形２１を供給する走査電極駆動回路１５２と、複数の信号電極Ｘ１〜Ｘｎに図５（ｂ）に示す信号電圧波形２２を供給する信号電極駆動回路１５１とを備える。また、液晶表示装置は、走査電極Ｙ１〜Ｙｍ及び信号電極Ｘ１〜Ｘｎに供給する駆動電圧波形の各電圧を発生する電源回路１５３を備える。なお、図９で、符号１５０は液晶表示パネルであり、符号１５４は信号電極駆動回路１５１及び走査電極駆動回路１５２の動作を制御する制御回路である。
【０００４】
この電源回路１５３は、Ｖ０，Ｖ１，Ｖ４，Ｖ５を生成し、Ｖ０を正の選択電圧、Ｖ５を負の選択電圧、Ｖ１を正の非選択電圧、Ｖ４を負の非選択電圧として走査電極駆動回路１５２に供給する。この時、走査電極駆動回路１５２には、駆動電圧として正の選択電圧Ｖ０又は負の選択電圧Ｖ５が供給される。
【０００５】
複数の走査電極Ｙ１〜Ｙｍは順次、所定の選択期間（１  選択期間）ずつ選択されていき、全ての走査電極Ｙ１〜Ｙｍが１  巡して選択し終わる期間を１  フィールド期間と言う。ある走査電極には、ある選択期間で選択されて正の選択電圧Ｖ０が印加される。選択が終了し非選択期間になると、走査電極には正の非選択電圧Ｖ１が印加され、この状態が次に選択されるまで維持される。１  フィールド期間後、次に選択されると、前回印加した選択電圧Ｖ０と極性が逆である負の選択電圧Ｖ５が印加される。そして、選択が終了し非選択期間になると負の非選択電圧Ｖ４が印加され、この状態が次に選択されるまで維持される。これが、全ての走査電極Ｙ１〜Ｙｍに対して、順次繰り返される。
【０００６】
また、このような液晶表示装置では、階調表示を行う為に、パルス幅変調方式という駆動方法をとっている。この駆動方法では、信号電極駆動回路１５１は、図５（ｂ）に示すように、各選択期間に、信号電圧波形２２として、正のデータ電圧Ｖ１と負のデータ電圧Ｖ４の電圧からなるパルス信号を各信号電極に供給し、各パルス信号の幅を各画素の表示すべき階調に応じて増減する。すなわち、ノーマリホワイト・モードの場合、１選択期間の選択電圧が正の場合（正の選択電圧Ｖ０の場合）には、負のデータ電圧Ｖ４をより長く印加すると画素は暗くなり、そのデータ電圧Ｖ４をより短く印加すると明るくなる。逆に１  選択期間の選択電圧が負の場合（負の選択電圧Ｖ５の場合）には、正のデータ電圧Ｖ１をより長く印加すると画素は暗くなり、そのデータ電圧Ｖ１をより短く印加すると明るくなる。なお、このパルス信号を構成する正負２値の電圧の内、選択電圧と同じ極性の電圧をオフ電圧、逆極性の電圧をオン電圧と定義する。
【０００７】
最後に、走査電極と信号電極の各交差部の画素に印加する差分電圧波形２３について説明する。各選択期間に走査電圧波形２１と信号電圧波形２２を印加することによって、図５（ｃ）に示すような差分電圧波形２３が各画素電極に印加される。すなわち、差分電圧波形２３には、１選択期間２４と、非選択期間２５があり、１選択期間２４内の合成選択パルス２６により各画素電極に信号を書き込む。非選択期間２５の間各画素電極に書き込まれた信号を保持、記憶する。また、階調表示する際には、その階調に従って合成選択パルス２６の先端部分のパルス幅２７が変化する。
【０００８】
【特許文献１】
特開平１１―１３３３３７７号公報
【０００９】
【発明が解決しようとする課題】
ところで、上記パルス幅変調方式の場合には、表示パターンによっては走査電極方向に表示むら（以後、クロストークと言う。）が発生するおそれがある。図６は、２端子型アクティブ・マトリクス液晶表示装置のクロストークを説明するために模式的に示した液晶表示パネルの外観図である。図全体が液晶表示パネルの表示エリアに対応している。表示エリアの中央には白表示領域１１があり、その周辺には均一な灰色階調を表示するための表示データを与えている。しかし実際の表示画面は図に示すように中央の白表示領域１１の左右に淡い灰色階調部分１２が出現する。この部分１２の色の濃さは他の灰色階調部分１３に比べると淡い色となる。このように画面に或るパターン（この例では白表示領域１１）を表示したときパターンの上下方向又は左右方向に濃淡の異なる領域ができる現象をクロストークと言う。本発明では主にパターンの左右に出現するクロストークについて議論する。
【００１０】
合成選択パルス２６は階調表示をする際、その階調に従ってその先端部分のパルス幅２７が変化する。合成選択パルス２６はノイズ２８によりパルス信号の先端部分の形が変形している。このノイズは走査電圧波形２１上に現れているノイズ２９が差分電圧波形２３上に現れたものである。特に合成選択パルス２６上にあるノイス２８は各画素容量に書き込まれる信号に多大な影響を与える為、ノイズが無い場合と比べると表示の濃淡が異なってしまう。すなわちクロストークの原因の一つともなっている。
【００１１】
このノイズについて、図７及び図８に基づき説明する。図７は、２端子型アクティブ・マトリクス液晶表示装置の内部の電気的等価回路を示している。図５で説明した信号電圧波形２２を出力する信号電極駆動回路１５１の出力部には出力抵抗３５がある。一方、走査電圧波形２１を出力する走査電極駆動回路１５２の出力部には出力抵抗３６がある。また、信号電圧波形２２を各画索に供給する信号電極３２（図９の信号電極Ｘ１〜Ｘｎに相当する）には配線抵抗３４があり、走査電圧波形２１を各画素に供給する走査電極３１（図９の走査電極Ｙ１〜Ｙｍに相当する）にも配線抵抗３３がある。信号電極３２と走査電極３１の各交差部には、各画素のＭＩＭ素子（抵抗成分と容量成分）３７と液晶層（抵抗成分と容量成分）３８がある。
【００１２】
図８は、図７の電気的等価回路の一部を簡略化して示している。また、図８は、走査電極４１（図７の走査電極３１に相当する）に選択電圧が印加された場合、すなわちＭＩＭ素子が導通状態にある場合を示している。また、図８では、走査電極４１の画素間抵抗と走査電極駆動回路の出力抵抗３６を１  つにまとめてＲＹａｌｌとし、そして、信号電極抵抗を無視している。このように簡略化すると、信号電極４２（図７の信号電極３２に相当する）を入力とする微分回路が形成されていることが解る。従って、信号電極４２に供給される信号電圧波形２２の電圧変化によって、走査電極４１に供給される走査電圧波形２１上に微分波形状のノイズ電圧２９が発生することになる。そして、同時に同方向に電圧変化する信号電極の数が多くなるほどこのノイズ電圧の大きさが大きくなる。
【００１３】
そこで、本発明は、このような従来の問題点に鑑みてなされたもので、その目的はクロストークを抑制し、高品質な表示が可能な電気光学装置、電気光学装置の駆動方法、電気光学装置の駆動回路および電子機器を提供することにある。
【００１４】
【課題を解決するための手段】
本発明における電気光学装置は、電気光学素子を挟持する一対の基板の一方に形成された複数の走査電極と、前記一対の基板の他方に前記複数の走査電極と交差するように形成された複数の信号電極と、前記複数の走査電極を駆動する走査電圧信号を出力する走査電極駆動回路と、前記複数の信号電極を駆動するデータ電圧信号を出力する信号電極駆動回路とを備え、前記複数の走査電極を順に選択する各選択期間に、前記走査電圧信号の選択電圧と前記データ電圧信号のデータ電圧との差分の電圧により、前記走査電極と前記信号電極の交差部の各画素電極に信号を書き込むように構成された電気光学装置であって、前記走査電極駆動回路は、前記複数の走査電極にそれぞれ対応する複数の単位回路を備え、前記複数の単位回路のそれぞれは、前記走査電圧信号を構成する複数の電圧を択一的に出力する複数のトランジスタを備え、前記複数のトランジスタのそれぞれは、印加される電圧に応じてトランジスタの導通状態を制御する制御用端子を備え、前記各選択期間において、前記複数のトランジスタのうち前記選択電圧を出力するトランジスタの制御用端子に、前記複数の電圧のいずれよりも高い電圧又はいずれよりも低い電圧を印加するようにした。
【００１５】
これによれば、選択電圧を出力するトランジスタの導通状態での抵抗（オン抵抗）を小さくすることができるので、図８に示す上記微分回路において、各信号電極に印加される電圧の変化によって、走査電極上に発生する微分波形状のノイズ電圧の影響を抑えることができる。従って、クロストーク、特にあるパターンの左右に出現するクロストークを抑制することができ、高品質な表示が可能な電気光学装置を実現することができる。
【００１６】
この電気光学装置において、前記走査電極駆動回路は、前記複数の走査電極の各々を所定期間毎に選択する際に、前記選択電圧として正の選択電圧と負の選択電圧とを前記所定期間毎に交互に出力するように構成されており、前記正の選択電圧が出力される前記選択期間には、前記複数のトランジスタのうち前記正の選択電圧を出力する一つのトランジスタの制御用端子に前記負の選択電圧より低い駆動電圧を印加するとともに、前記負の選択電圧が出力される前記選択期間には、前記複数のトランジスタのうち前記負の選択電圧を出力する一つのトランジスタの制御用端子に前記正の選択電圧より高い駆動電圧を印加する。
【００１７】
これによれば、正の選択電圧を出力するトランジスタの導通状態での抵抗（オン抵抗）を小さくすることができるとともに、負の選択電圧を出力するトランジスタのオン抵抗を小さくすることができる。これにより、液晶を所定期間毎、例えば１フィールド期間毎に反転駆動する場合に、クロストーク、特にあるパターンの左右に出現するクロストークを抑制することができ、高品質な表示が可能な電気光学装置を実現することができる。
【００１８】
この電気光学装置において、前記電気光学素子は液晶層である。
これによれば、クロストーク、特にあるパターンの左右に出現するクロストークを抑制することができ、高品質な表示が可能な液晶表示装置を実現することができる。
この電気光学装置において、前記各画素電極と前記走査電極との間、又は前記各画素電極と前記各信号電極との間には、非線形抵抗素子が接続されており、前記各選択期間に、前記差分の電圧が前記非線形抵抗素子を介して前記各画素電極に印加されるように構成されている。
これによれば、クロストーク、特にあるパターンの左右に出現するクロストークを抑制することができ、高品質な表示が可能な２端子型アクティブ・マトリクス液晶表示装置を実現することができる。
本発明における電気光学装置の駆動方法は、電気光学素子を挟持する一対の基板の一方に形成された複数の走査電極と、前記一対の基板の他方に前記複数の走査電極と交差するように形成された複数の信号電極と、前記複数の走査電極を駆動する走査電圧信号を出力する走査電極駆動回路と、前記複数の信号電極を駆動するデータ電圧信号を出力する信号電極駆動回路とを備え、前記複数の走査電極を順に選択する各選択期間に、前記走査電圧信号の選択電圧と前記データ電圧信号のデータ電圧との差分の電圧により、前記走査電極と前記信号電極の交差部の各画素電極に信号を書き込むように構成された電気光学装置の駆動方法であって、前記各選択期間において、前記走査電圧信号を構成する複数の電圧のいずれよりも高い電圧又はいずれよりも低い電圧を前記走査電極駆動回路に出力する。
これによれば、選択電圧を出力するトランジスタの導通状態での抵抗（オン抵抗）を小さくすることができるので、図８に示す上記微分回路において、各信号電極に印加される電圧の変化によって、走査電極上に発生する微分波形状のノイズ電圧の影響を抑えることができる。従って、クロストーク、特にあるパターンの左右に出現するクロストークを抑制することができ、高品質な表示が可能な電気光学装置を実現することができる。
本発明における電気光学装置の駆動回路は、電気光学素子を挟持する一対の基板の一方に形成された複数の走査電極と、前記一対の基板の他方に前記複数の走査電極と交差するように形成された複数の信号電極と、前記複数の走査電極を駆動する走査電圧信号を出力する走査電極駆動回路と、前記複数の信号電極を駆動するデータ電圧信号を出力する信号電極駆動回路とを備え、前記複数の走査電極を順に選択する各選択期間に、前記走査電圧信号の選択電圧と前記データ電圧信号のデータ電圧との差分の電圧により、前記走査電極と前記信号電極の交差部の各画素電極に信号を書き込むように構成された電気光学装置の駆動回路であって、前記走査電圧信号を構成する複数の電圧を前記走査電極駆動回路に出力するとともに、前記データ電圧信号を構成する複数の電圧を前記信号電極駆動回路に出力する電源回路を有し、前記電源回路は、前記各選択期間において、前記走査電圧信号を構成する複数の電圧のいずれよりも高い電圧又はいずれよりも低い電圧を前記走査電極駆動回路に出力する。
これによれば、選択電圧を出力するトランジスタの導通状態での抵抗（オン抵抗）を小さくすることができるので、図８に示す上記微分回路において、各信号電極に印加される電圧の変化によって、走査電極上に発生する微分波形状のノイズ電圧の影響を抑えることができる。従って、クロストーク、特にあるパターンの左右に出現するクロストークを抑制することができ、高品質な表示が可能な電気光学装置を実現することができる。
本発明における電子機器は、請求項１乃至４のいずれかに記載の電気光学装置を備える。
【００１９】
これによれば、電子機器の表示品質を向上させることができる。従って、視認性の良い電子機器を実現することができる。
【００２０】
【発明の実施の形態】
以下、本発明を液晶表示装置に適用した実施の形態を図面に基づいて説明する。
【００２１】
［一実施形態］
図１は本発明の一実施形態に係る電気光学装置としての２端子型アクティブ・マトリクス液晶表示装置の概略構成を示している。この液晶表示装置は、液晶表示パネル５０を有している。
【００２２】
液晶表示パネル５０は、液晶層、例えばＴＮ（Ｔｗｉｓｔｅｄ  Ｎｅｍａｔｉｃ  ）型の液晶層を挟持する一対の基板（図示省略）を備えている。液晶層を扶持する一対の基板の一方には複数の信号電極Ｘ１〜Ｘｎが形成され、一対の基板の他方には複数の走査電極Ｙ１〜Ｙｍが信号電極Ｘ１〜Ｘｎとそれぞれ交差するように形成されている。
【００２３】
走査電極Ｙ１〜Ｙｍと信号電極Ｘ１〜Ｘｎの各交差部に対応する各画素には、図７に示すように、非線形抵抗素子としてのＭＩＭ素子３７と画素電極３９とが互いに直列に接続されている。各画素のＭＩＭ素子３７は、画素電極３９と走査電極Ｙ１〜Ｙｍのいずれか一つとの間、又は画素電極３９と前記各信号電極Ｘ１〜Ｘｎのいずれか一つとの間に接続されている。各画素にあっては、画素電極３９と、液晶層３８と、液晶層３８を介して画素電極３９と対向する走査電極３１又は信号電極３２とで、液晶層を誘電体とする画素容量がそれぞれ構成される（図７参照）。なお、液晶表示パネル５０は、説明の便宜上、各画素電極に印加する電圧の絶対値（画素電圧）が高くなると表示が暗くなるノーマリホワイト・モードとする。
【００２４】
また、２端子型アクティブ・マトリクス液晶表示装置（以下、単に液晶表示装置と言う。）は、複数の信号電極Ｘ１〜Ｘｎを駆動する信号電極駆動回路５１と、複数の走査電極Ｙ１〜Ｙｍを駆動する走査電極駆動回路５２と、電源回路５３と、制御回路５４とを備える。
【００２５】
信号電極駆動回路５１は、複数の信号電極Ｘ１〜Ｘｎを駆動するデータ電圧信号としての信号電圧波形７２（図４（ｂ）参照）を各信号電極Ｘ１〜Ｘｎに供給するようになっている。また、走査電極駆動回路５２は、複数の走査電極Ｙ１〜Ｙｍを駆動する走査電圧信号としての走査電圧波形７１（図４（ａ）参照）を各走査電極Ｙ１〜Ｙｍに供給するようになっている。
【００２６】
電源回路５３は、走査電圧波形７１と信号電圧波形７２を構成するのに必要な複数の電圧Ｖ０，Ｖ１，Ｖ４，Ｖ５を発生するようになっている。具体的には、電源回路５３は、複数の電圧Ｖ０，Ｖ１，Ｖ４，Ｖ５を生成し、Ｖ０を正の選択電圧、Ｖ５を負の選択電圧、Ｖ１を正の非選択電圧、Ｖ４を負の非選択電圧として、走査電極駆動回路５２に供給する。また、電源回路５３は、電圧Ｖ１と電圧Ｖ４をデータ電圧として信号電極駆動回路５１に供給する。さらに、本例の電源回路５３は、その他に、走査電極駆動回路５２を駆動するための駆動電圧ＶＤＤＹを走査電極駆動回路５２に供給するようになっている。この駆動電圧ＶＤＤＹは、例えば正の選択電圧Ｖ０より高い電圧又は負の選択電圧Ｖ５より低い電圧である。
【００２７】
制御回路５４は、信号電極駆動回路５１及び走査電極駆動回路５２の動作を制御する。この制御回路５４には、複数の信号からなる同期制御群５５と、液晶表示パネル５０の表示内容を指定する複数の信号からなる表示データ５６とが、それぞれ外部から供給されるようになっている。また、制御回路５４は、同期信号群５５と表示データ５６とに基づいて、複数の信号からなる制御信号群５７を信号電極駆動回路５１に供給するとともに、複数の信号からなる制御信号群５８を走査電極駆動回路５２に供給するようになっている。なお、制御信号群５７には、表示データ５６を適当に加工したものが含まれる。
【００２８】
また、走査電極駆動回路５２には、図１及び図２に示すように、電源回路５３から電圧Ｖ０，Ｖ１，Ｖ４，Ｖ５及び駆動電圧ＶＤＤＹが供給されているとともに、制御回路５４から制御信号群５８が入力されるようになっている。ＧＮＤＹは走査電極駆動回路５２の接地電圧である。
【００２９】
走査電極駆動回路５２は、図２に示すように、出力制御回路６１と、複数の走査電極Ｙ１〜Ｙｍにそれぞれ対応する複数の単位回路６２１〜６２ｍとを備えている。複数の単位回路６２１〜６２ｍはそれぞれ、制御用端子としてのゲートに印加される電圧に応じて導通状態（オン状態）となり、走査電圧波形７１を構成する４つの電圧を択一的に出力する４つのトランジスタ６３ａ，６３ｂ，６３ｃ及び６３ｄを備えている。走査電圧波形７１を構成する４つの電圧は、電圧Ｖ０，Ｖ１，Ｖ４及びＶ５である。
【００３０】
トランジスタ６３ａ，６３ｂはＰチャンネルＭＯＳトランジスタであり、また、トランジスタ６３ｃ，６３ｄはＮチャンネルＭＯＳトランジスタである。各トランジスタ６３ａ，６３ｂ，６３ｃ及び６３ｄにはそれぞれ、電源回路５３から供給される電圧Ｖ０，Ｖ１，Ｖ４，Ｖ５がドレイン・ソース間電圧として印加されている。
【００３１】
そして、出力制御回路６１は、制御回路５４から出力される制御信号群５８により、４つのトランジスタ６３ａ，６３ｂ，６３ｃ及び６３ｄのいずれか一つを択一的にオン状態にするように制御される。つまり、４つのトランジスタ６３ａ，６３ｂ，６３ｃ及び６３ｄのいずれか一つのゲートに電圧（以下、この電圧を駆動電圧という。）を印加して、電圧Ｖ０，Ｖ１，Ｖ４及びＶ５のいずれか一つを択一的に出力するようになっている。
【００３２】
具体的には、出力制御回路６１は、ある選択期間で正の選択電圧Ｖ０を選択される走査電極に出力する場合、トランジスタ６３ａのゲートに、同ゲートに接続された配線６４ａを介して負の選択電圧Ｖ５より低い駆動電圧ＶＤＤＹを印加する。また、出力制御回路６１は、その選択期間終了後に正の非選択電圧Ｖ１を走査電極に出力する場合、トランジスタ６３ｂのゲートに、同ゲートに接続された配線６４ｂを介して負の選択電圧Ｖ５より低い駆動電圧ＶＤＤＹを印加する。また、出力制御回路６１は、ある選択期間で負の選択電圧Ｖ５を選択される走査電極に出力する場合、トランジスタ６３ｄのゲートに、同ゲートに接続された配線６４ｄを介して正の選択電圧Ｖ０より高い駆動電圧ＶＤＤＹを印加する。そして、出力制御回路６１は、その選択期間終了後に負の非選択電圧Ｖ４を走査電極に出力する場合、トランジスタ６３ｃのゲートに、同ゲートに接続された配線６４ｃを介して正の選択電圧Ｖ０より高い駆動電圧ＶＤＤＹを印加するようになっている。
【００３３】
なお、電源回路５３から出力制御回路６１に供給される駆動電圧ＶＤＤＹが正の選択電圧Ｖ０より高い電圧である場合、出力制御回路６１は、接地電圧ＧＮＤＹを基準に駆動電圧ＶＤＤＹの極性を反転させて、負の選択電圧Ｖ５より低い駆動電圧ＶＤＤＹを生成できるようになっている。
【００３４】
次に本実施形態の液晶表示装置の動作について説明する。
いま、前の１フィールドの画面（１フレームの画面）を構成し終わったとすると、この後、例えば転送開始信号が走査電極駆動回路５２に供給されると、複数の走査電極Ｙ１〜Ｙｍはその第１行目から順に選択されていく。
【００３５】
ある走査電極Ｙｉ（ｉ＝１〜ｍ）が選択される選択期間では、走査電極駆動回路５２の出力制御回路６１は、トランジスタ６３ａのゲートに負の選択電圧Ｖ５より低い駆動電圧ＶＤＤＹを印加する。これにより、トランジスタ６３ａがオン状態になり、図４（ａ）の１選択期間に、正の選択電圧Ｖ０が走査電極Ｙｉに印加される。このとき、信号電極駆動回路５１から信号電極Ｘ１〜Ｘｎにそれぞれ正のデータ電圧Ｖ１と負のデータ電圧Ｖ４の電圧からなるパルス信号が供給される。
【００３６】
こうしてある走査電極Ｙｉ（ｉ＝１〜ｍ）が選択される１選択期間に、走査電圧波形７１（正の選択電圧Ｖ０）と信号電圧波形７２（前記パルス信号）を印加することによって、図４（ｃ）に示すような走査電圧波形７１と信号電圧波形７２の差分の電圧としての差分電圧波形７３が各画素電極に印加される。すなわち、１選択期間内の差分の電圧である合成選択パルス７４により各画素電極（各画素の液晶層、但しカラーフィルターが有る場合は液晶層＋カラーフィルタ層）に信号が書き込まれる。また、階調表示する際には、その階調に従って合成選択パルス７４の先端部分のパルス幅７５が変化する。そのパルス幅７５は、各画素の表示すべき階調に応じて増減される。
【００３７】
選択が終了し非選択期間になると、出力制御回路６１は、トランジスタ６３ｂのゲートに負の選択電圧Ｖ５より低い駆動電圧ＶＤＤＹを印加する。これにより、走査電極Ｙｉには正の非選択電圧Ｖ１が印加され、この状態が次に選択されるまで維持される。
【００３８】
このような動作を全ての走査電極Ｙ１〜Ｙｍに対して順次繰り返して１フィールドの画面を構成し終わった後、転送開始信号が走査電極駆動回路５２に供給されると、複数の走査電極Ｙ１〜Ｙｍは再びその第１行目から順に選択されていく。このときは、前回印加した正の選択電圧Ｖ０と極性が逆である負の選択電圧Ｖ５が各走査電極Ｙ１〜Ｙｍに印加される。
【００３９】
すなわち、ある走査電極Ｙｉ（ｉ＝１〜ｍ）が選択される選択期間では、出力制御回路６１は、トランジスタ６３ｄのゲートに正の選択電圧Ｖ０より高い駆動電圧ＶＤＤＹを印加する。これにより、トランジスタ６３ｄがオン状態になり、図４（ａ）の１選択期間に、負の選択電圧Ｖ５が走査電極Ｙｉに印加される。このとき、信号電極駆動回路５１から信号電極Ｘ１〜Ｘｎにそれぞれ正のデータ電圧Ｖ１と負のデータ電圧Ｖ４の電圧からなるパルス信号が供給される。
【００４０】
そして、選択が終了し非選択期間になると、出力制御回路６１は、トランジスタ６３ｃのゲートに正の選択電圧Ｖ０より高い駆動電圧ＶＤＤＹを印加する。これにより、走査電極Ｙｉに負の非選択電圧Ｖ４が印加され、この状態が次に選択されるまで維持される。これが、総ての走査電極に対して、順次繰り返される。
【００４１】
このように、走査電極駆動回路５２の出力制御回路６１は、外部からの制御信号群５８により制御されて、電圧Ｖ０，Ｖ１，Ｖ４，Ｖ５を適宜切り替え、上記タイミングで各走査電極Ｙ１〜Ｙｍに出力する。
【００４２】
このように走査電極駆動回路５２が動作する際、出力制御回路６１からトランジスタ６３ａ〜６３ｄの各ゲートに出力する駆動電圧ＶＤＤＹの大きさを、正の選択電圧Ｖ０より大きい電圧又は負の選択電圧Ｖ５より小さい電圧のいずれかに変える。これにより、各トランジスタ６３ａ〜６３ｄの出力抵抗の値が変化する（小さくなる）。これは、液晶表示パネルの電気等価回路を示した図７において、走査電極駆動回路の出力抵抗３６の値が変化する（小さくなる）ことを意味する。つまり、従来のように走査電極駆動回路１５２（図９参照）を駆動するための駆動電圧としてＶ０又はＶ５を供給した場合と比べて、駆動電圧として上記ＶＤＤＹを供給することにより、走査電極駆動回路５２の出力抵抗３６の値が小さくなる。更に、図７を簡略化した電気等価回路を示した図８において、走査電極４１の画素間抵抗と走査電極駆動回路の出力抵抗３６を１つにまとめたＲＹａｌｌの値が変化する（小さくなる）ので、クロストークの原因となるノイズに直接影響を及ぼす。このような走査電極駆動回路５２の出力抵抗の変化、すなわち各トランジスタ６３ａ〜６３ｄの出力抵抗値の変化は図２に示す各トランジスタ６３ａ〜６３ｄの電流−電圧特性によるものであり、これについて詳細に説明する。
【００４３】
図３は、一般的なＭＯＳトランジスタの端子電圧と電流の関係を示したものである。ＶＳはソース電圧、ＶＧはゲート電圧、Ｖｄはドレイン電圧、ＩＤはドレイン電流、ＶＤＳはドレイン・ソース間電圧、ＶＧＳはゲート・ソース間電圧である。上記トランジスタ６３ｃ，６３ｄのようなＮチャンネルＭＯＳトランジスタの場合、電流一電圧特性からドレイン・ソース間電圧ＶＤＳを一定とする時、ゲート・ソース間電圧ＶＧＳが高くなると、ドレイン電流ＩＤが大きくなる、つまりトランジスタがオンする状態で抵抗値が低くなることが知られている。また、上記トランジスタ６３ａ，６３ｂのようなＰチャンネルＭＯＳトランジスタの場合、電流−電圧特性から、ドレイン・ソース間電圧ＶＤＳを一定とする時、ゲート・ソース間電圧ＶＧＳが低くなると、ドレイン電流ＩＤが大きくなる。つまりＮチャンネルＭＯＳトランジスタと同様にトランジスタがオンする状態で抵抗値が低くなる。ここで、トランジスタがオンした状態での抵抗の値をオン抵抗と定義する。
【００４４】
これを図２に示すトランジスタ６３ａ〜６３ｄに当てはめると、配線６４ａ，６４ｂに供給される電圧はそれぞれ、ＰチャンネルＭＯＳトランジスタ６３ａ，６３ｂのゲート・ソース間電圧であり、電圧Ｖ０，Ｖ１はそれぞれドレイン・ソース間電圧となる。また、配線６４ｃ，６４ｄに供給される電圧はそれぞれ、ＮチャンネルＭＯＳトランジスタ６３ｃ，６３ｄのゲート・ソース間電圧であり、電圧Ｖ４，Ｖ５はドレイン・ソース間電圧となる。各配線６４ａ〜６４ｄに供給される電圧レベルは駆動電圧ＶＤＤＹで決まることから、駆動電圧ＶＤＤＹを正の選択電圧Ｖ０より高い電圧にするか又は、負の選択電圧Ｖ５より低い電圧にすることで、各トランジスタ６３ａ〜６３ｄのオン抵抗が小さくなる。従って、走査電極駆動回路５２の出力抵抗の値が下がることがわかる。
【００４５】
以上のように構成された一実施形態によれば、以下の作用効果を奏する。
走査電極駆動回路５２の出力制御回路６１は、各トランジスタ６３ａ〜６３ｄをオン状態にするために各トランジスタのゲートに供給する駆動電圧ＶＤＤＹを、耐圧を超えない程度に正の選択電圧Ｖ０より高い電圧又は負の選択電圧Ｖ５より低い電圧にする。これにより、従来のように走査電極駆動回路１５２を駆動するための駆動電圧としてＶ０又はＶ５を供給した場合と比べて、走査電極駆動回路５２の出力抵抗、すなわち各トランジスタ６３ａ〜６３ｄのオン抵抗の値が小さくなる。これは図８に示す信号電極４２を入力とする微分回路において、走査電極４１の画素間抵抗と走査電極駆動回路の出力抵抗３６を１つにまとめた抵抗ＲＹａｌｌの値が小さくなることを示している。そのために、各信号電極Ｘ１〜Ｘｎに印加される電圧の変化、特に選択期間における電圧の変化によって、クロストークの原因となる走査電極上に発生する微分波形状のノイズ電圧の影響を抑えることができる。従って、クロストーク、特にあるパターン（例えば、図６に示す白表示領域１１）の左右に出現するクロストークを抑制することができ、高品質な表示が可能な液晶表示装置を実現することができる。
【００４６】
［電子機器］
表示機能を必要とする電子機器、例えばパーソナルコンピュータ、ワードプロセッサ、電子手帳等に上記一実施形態の液晶表示装置を用いることによって、電子機器の表示品質を向上させることができる。従って、視認性の良い電子機器を実現することができる。
【００４７】
［  変形例］
なお、この発明は以下のように変更して具体化することもできる。
・上記一実施形態では、１フィールド期間毎に各画素電極に書き込む電位を反転させるようにしているが、１水平走査期間毎或いはその他の所定期間毎にその電位を反転させるように構成する場合にも本発明は適用可能である。
【００４８】
・上記一実施形態では、非線形抵抗素子としてＭＩＭ素子を用いた２端子型アクティブ・マトリクス液晶表示装置に本発明を適用した例を示したが、走査電圧信号とデータ電圧信号の差分の電圧により各画素電極に信号を書き込むパッシブマトリクス駆動方式の液晶表示装置にも本発明は適用可能である。
【００４９】
・上記一実施形態では、非線形抵抗素子としてＭＩＭ素子を用いた２端子型アクティブ・マトリクス液晶表示装置に本発明を適用した例を示したが、非線形抵抗素子として、バック・ツウー・バック・ダイオード素子、ダイオード・リング素子、バリスタ素子等のスイッチ素子を用いる場合にも本発明は適用可能である。
【００５０】
・上記一実施形態では、ＴＮ（Ｔｗｉｓｔｅｄ  Ｎｅｍａｔｉｃ  ）型の液晶（液晶層３８）を用いている。しかし、液晶として１８０°以上のねじれ配向を有するＳＴＮ（Ｓｕｐｅｒ  Ｔｗｉｓｔｅｄ  Ｎｅｍａｔｉｃ  ）型、ＢＴＮ（Ｂｉ−ｓｔａｂｌｅ  Ｔｗｉｓｔｅｄ  Ｎｅｍａｔｉｃ  ）型、強誘電型等のメモリ性を有する双安定型、高分子分散型、ゲストホスト型等を含めて、周知なものを広く用いることができる。
【００５１】
・上記一実施形態では、トランジスタ６３ｂのゲートに負の選択電圧Ｖ５より低い駆動電圧ＶＤＤＹを印加するようにしているが、そのゲートに負の非選択電圧Ｖ４より低くかつ負の選択電圧Ｖ５より高い駆動電圧を印加するようにしてもよい。
【００５２】
・上記一実施形態では、トランジスタ６３ｃのゲートに正の選択電圧Ｖ０より高い駆動電圧ＶＤＤＹを印加するようにしているが、そのゲートに正の非選択電圧Ｖ１より高くかつ正の選択電圧Ｖ０より低い駆動電圧を印加するようにしてもよい。
【００５３】
・上記一実施形態では、電気光学装置を液晶表示装置として説明したが、本発明はこれに限るものではなく、液晶のように交流駆動される電気光学素子を用いた電気光学装置および該電気光学装置を備えた電子機器に対しても適用可能である。
【図面の簡単な説明】
【図１】一実施形態に係る液晶表示装置を示す概略構成図。
【図２】走査電極駆動回路の内部構造を示す概略構成図。
【図３】ＭＯＳトランジスタの端子電圧と電流の関係を示す説明図。
【図４】（ａ）〜（ｃ）は液晶表示装置の駆動波形を示すタイミングチャート。
【図５】（ａ）〜（ｃ）は従来の液晶表示装置の駆動波形を示すタイミングチャート。
【図６】クロストークを説明するために模式的に示した液晶表示パネルの外観図。
【図７】液晶表示パネルの電気的等価回路を示す概略構成図。
【図８】図７に示す電気的等価回路の一部を簡略した電気的等価回路を示す説明図。
【図９】従来の液晶表示装置を示す概略構成図。
【符号の説明】
Ｘ１〜Ｘｎ…信号電極、Ｙ１〜Ｙｍ…走査電極、３７…非線形抵抗素子としてのＭＩＭ素子、３８…電気光学素子としての液晶層、３９…画素電極、５１…信号電極駆動回路、５２…走査電極駆動回路、５３…電源回路、５４…制御回路、６２１〜６２ｍ…単位回路、６３ａ，６３ｂ，６３ｃ，６３ｄ…トランジスタ、７２…データ電圧信号としての信号電圧波形、７３…差分の電圧としての差分電圧波形、７４…１選択期間内の差分の電圧である合成選択パルス、Ｖ０…正の選択電圧、Ｖ１…正の非選択電圧、Ｖ４…負の非選択電圧、Ｖ５…負の選択電圧、ＶＤＤＹ…駆動電圧。
【図１】
2004233521.tif 000003
【図２】
2004233521.tif 000004
【図３】
2004233521.tif 000005
【図４】
2004233521.tif 000006
【図５】
2004233521.tif 000007
【図６】
2004233521.tif 000008
【図７】
2004233521.tif 000009
【図８】
2004233521.tif 000010
【図９】
2004233521.tif 000011